(57)【要約】【課題】  水切り板の通孔開口周縁部と、通孔に通されたバルコニーアームの外周部との間を施工容易にしかも確実に止水状態にする止水構造を提供する。【解決手段】  通孔２の開口周縁部とバルコニーアーム３の外周部との間の環状隙間６に沿うように複数の止水金物４が設置されている。各止水金物４には、ベース部分７と立ち上がり部分８とが備えられ、それらと、通孔２の開口周縁部、バルコニーアーム３との間にシーリング材５が介設されている。そして、通孔２の開口周縁部に錐状凹部１０が設けられ、止水金物４のベース部分７に錐状凸部１１が設けられ、錐状凹部１０と錐状凸部１１とにネジ孔１２，１３が設けられ、ネジ１４が締め付けられて、錐状凸部１１と錐状凹部１０が嵌合しシーリング材５が圧潰されて止水状態を形成している。【選択図】      図１
2005105617.tif 000002
【特許請求の範囲】
【請求項１】
通孔の開口周縁部と、通孔に通された部材の外周部との間を止水する止水構造であって、
通孔の開口周縁部と部材外周部との間の環状隙間に沿うように周方向に複数の止水金物が設置され、
各止水金物には、通孔の開口周縁部に沿うベース部分と部材外周部に沿う立ち上がり部分とが備えられ、ベース部分と通孔の開口周縁部との間、及び、立ち上がり部分と部材外周部との間にシーリング材が介設され、
通孔の開口周縁部と止水金物のベース部分の正対する面内部分において、通孔の開口周縁部と止水金物のベース部分のいずれか一方に錐状凹部が設けられると共に、もう一方に錐状凹部に位置決め状態にしっくりと嵌合する錐状凸部が設けられ、
錐状凹部の底面部と錐状凸部の頂面部とにそれぞれネジ孔が備えられ、両ネジ孔は、錐状凸部と錐状凹部とが係合状態になることでネジを通すことができるようになされており、
両ネジ孔に通されたネジが締め付けられて、錐状凸部と錐状凹部とが嵌合し、通孔の開口周縁部と止水金物のベース部分との間、及び、止水金物の立ち上がり部分と部材外周部との間の各シーリング材が圧潰状態に保持されていることを特徴とする止水構造。
【請求項２】
前記通孔が階間胴差部の水切り板に明けられたバルコニーアーム通し用の通孔からなり、前記部材がバルコニーアームからなる請求項１に記載の止水構造。
【請求項３】
第１部材と第２部材の正対する面内のいずれか一方に錐状凹部が設けられると共に、もう一方に錐状凹部に位置決め状態にしっくりと嵌合する錐状凸部が設けられ、錐状凹部の底面部と錐状凸部の頂面部とにそれぞれネジ孔が備えられ、両ネジ孔に通されたネジが締め付けられて、錐状凸部と錐状凹部とが嵌合し第１部材と第２部材の前記正対する面同士が締め合わされていることを特徴とする部材同士の締め合わせ構造。
【発明の詳細な説明】
【技術分野】
【０００１】
本発明は、バルコニーアームと階間胴差部水切り板との間などに用いられる止水構造に関する。
【背景技術】
【０００２】
例えば、住宅等の建物において、階上外壁面材と階下外壁面材との間の階間胴差部を水切り板で止水するような場合に、バルコニーアームをこの水切り板に貫通させなければならない場合があり、その場合は、水切り板に明けた通孔にバルコニーアームを通すことが行われるが、水切り板の通孔の開口周縁部と、通孔に通されたバルコニーアームの外周部との間をいかにしたら施工容易にしかも確実に止水状態にすることができるかが非常に重要な問題である。
【発明の開示】
【発明が解決しようとする課題】
【０００３】
本発明は、かかる問題に鑑み、水切り板などに設けられた通孔の開口周縁部と、通孔に通されたバルコニーアームなどの部材の外周部との間を施工容易にしかも確実に止水状態にすることができる止水構造を提供することを主たる課題とする。
【課題を解決するための手段】
【０００４】
上記の課題は、通孔の開口周縁部と、通孔に通された部材の外周部との間を止水する止水構造であって、
通孔の開口周縁部と部材外周部との間の環状隙間に沿うように周方向に複数の止水金物が設置され、
各止水金物には、通孔の開口周縁部に沿うベース部分と部材外周部に沿う立ち上がり部分とが備えられ、ベース部分と通孔の開口周縁部との間、及び、立ち上がり部分と部材外周部との間にシーリング材が介設され、
通孔の開口周縁部と止水金物のベース部分の正対する面内部分において、通孔の開口周縁部と止水金物のベース部分のいずれか一方に錐状凹部が設けられると共に、もう一方に錐状凹部に位置決め状態にしっくりと嵌合する錐状凸部が設けられ、
錐状凹部の底面部と錐状凸部の頂面部とにそれぞれネジ孔が備えられ、両ネジ孔は、錐状凸部と錐状凹部とが係合状態になることでネジを通すことができるようになされており、
両ネジ孔に通されたネジが締め付けられて、錐状凸部と錐状凹部とが嵌合し、通孔の開口周縁部と止水金物のベース部分との間、及び、止水金物の立ち上がり部分と部材外周部との間の各シーリング材が圧潰状態に保持されていることを特徴とする止水構造によって解決される。
【０００５】
この止水構造では、通孔の開口周縁部と部材外周部との間の環状隙間に沿うように周方向に複数の止水金物が設置され、止水金物には、通孔の開口周縁部に沿うベース部分と部材外周部に沿う立ち上がり部分とが備えられ、ベース部分と通孔の開口周縁部との間、及び、立ち上がり部分と部材外周部との間にシーリング材が介設されているから、通孔に部材が通されている状態において、これら複数の金物を用いて環状隙間を全周にわたって施工容易に止水状態にすることができる。
【０００６】
しかも、通孔の開口周縁部と止水金物のベース部分の正対する面内部分において、一方に錐状凹部が、もう一方に錐状凸部が設けられ、ネジ締めにより錐状凸部と錐状凹部とが嵌合し、各シーリング材が圧潰状態に保持されるようになされているので、各シーリング材が圧潰されることによってしっかりとした止水状態を得ることができ、また、ネジ締めによる錐状凸部と錐状凹部との嵌合による位置決め作用によってそのような止水状態を確実に得ることができ、更に、凹凸が錐状をしていることによりそれらを容易に嵌合させることができる。
【０００７】
特に、ネジ締めのためのネジ孔は、錐状凹部の底面部と錐状凸部の頂面部とに備えられているので、一旦ネジ締めすると、錐状凹部と錐状凸部との嵌合が解除されてしまうおそれがなく、信頼性の高い止水状態を形成することができる。とりわけ、剪断力が、ネジとネジ孔との係合で支えられるのではなく、錐状凹部と錐状凸部との嵌合で支えられるので、止水金物の滑りによる止水性能の低下を防ぐことができる。
【０００８】
更に、両ネジ孔は、錐状凸部と錐状凹部とが係合状態になることでネジを通すことができるようになされているので、締付け状態において錐状凸部と錐状凹部とが嵌合していないということがなく、ネジ締めをすることで確実に止水状態を形成することができる。
【０００９】
前記通孔が階間胴差部の水切り板に明けられたバルコニーアーム通し用の通孔からなり、前記部材がバルコニーアームからなる場合は、水切り板に明けられた通孔の開口周縁部と、通孔に通されたバルコニーアームの外周部との間を施工容易にしかも確実に止水状態にすることができる。
【００１０】
また、本発明は、第１部材と第２部材の正対する面内のいずれか一方に錐状凹部が設けられると共に、もう一方に錐状凹部に位置決め状態にしっくりと嵌合する錐状凸部が設けられ、錐状凹部の底面部と錐状凸部の頂面部とにそれぞれネジ孔が備えられ、両ネジ孔に通されたネジが締め付けられて、錐状凸部と錐状凹部とが嵌合し第１部材と第２部材の前記正対する面同士が締め合わされていることを特徴とする部材同士の締め合わせ構造も含む。第１部材が例えば上記のような階間胴差部であれば第２部材は例えばバルコニーアームということになるが、この発明は、止水のための締め合わせ構造であるか否かを問わない。
【００１１】
この締め合わせ構造では、一旦ネジ締めすると、錐状凹部と錐状凸部との嵌合が解除されてしまうおそれがなく、信頼性の高い締め合わせ状態を形成することができる。とりわけ、剪断力が、ネジとネジ孔との係合で支えられるのではなく、錐状凹部と錐状凸部との嵌合で支えられるので、部材間の滑りを確実に防ぐことができる。
【発明の効果】
【００１２】
本発明は、以上のとおりのものであるから、通孔の開口周縁部と、通孔に通された部材の外周部との間を施工容易にしかも確実に止水状態にすることができる。
【発明を実施するための最良の形態】
【００１３】
次に、本発明の実施最良形態を図面に基づいて説明する。
【００１４】
図１〜図５に示す実施形態は、図１に示すように、階間胴差部の水切り板１に明けられた通孔２の開口周縁部と、通孔２に通された部材としてバルコニーアーム３の外周部との間の止水に用いた場合のもので、４は止水金物、５はシーリング材である。
【００１５】
バルコニーアーム３は、断面長方形状のものからなっていて、長辺を上下方向に向けるようにして備えられ、階間胴差部の水切り板１にはそれに対応するような上下方向に長い長方形スリット状の通孔２が設けられ、該通孔２にバルコニーアーム３が通されて、通孔２の開口周縁部とバルコニーアーム３の外周部との間に方形環状の隙間６が形成されている。なお、バルコニーアーム３はその他の断面形状のものからなっていてもよく、階間胴差部の水切り板１の通孔もそのような断面形状のバルコニーアームを通すことができるような孔に形成されていればよい。
【００１６】
止水金物４とシーリング材５は、上記の方形環状隙間６を止水状態にするもので、止水金物４は、金属板のプレス成形品などからなっていて、環状隙間６に沿うように周方向に２つ備えられ、各止水金物４，４は、該隙間の隣り合う長辺と短辺の２辺を止水するＬ形形状部を備えた同じ金物からなっている。そして、止水金物４は、図４（イ）に拡大して示すように、通孔２の開口周縁部に沿うベース部分７と、バルコニーアーム３外周部に沿う立ち上がり部分８とを備えており、ベース部分７と通孔２の開口周縁部との間、及び、立ち上がり部分８とバルコニーアーム３の外周部との間に介設されるシーリング材５によって上記の隙間６が止水されるようになされている。
【００１７】
シーリング材５は、ＥＰＤＭゴム発砲体（例えばエプトシーラー（商品名））などのスポンジ状の弾性シーリング材からなっていて、圧潰前は、図４（ロ）に示すような形態をしていている。シーリング材５は予め止水金物４，４に粘着などによって取り付けておくとよい。
【００１８】
そして、水切り板１の通孔２の開口周縁部と止水金物４のベース部分７の正対する面内部分、具体的には、止水金物４のベース部分７のうち、長辺側の中間部から外方に張り出した部分９の面内部分において、通孔２の開口周縁部に屋外側に面する円形の錐状凹部１０が設けられると共に、止水金物４のベース部張出し部分９には、錐状凹部１０に位置決め状態にしっくりと嵌合する錐状凸部１１が屋内側に面するように形成され、これら錐状凸部１１と錐状凹部１０とを嵌合状態にすることにより、通孔２の開口周縁部と止水金物４のベース部分７との間、及び、止水金物４の立ち上がり部分８と部材外周部との間の各シーリング材５が圧潰状態となり、水切り板１の通孔２の開口周縁部と、通孔２に通されたバルコニーアーム３の外周部との間が止水されるようになされている。
【００１９】
そして更に、錐状凹部１０の底面部中央と錐状凸部１１の頂面部中央とにそれぞれネジ孔１２，１３が形成され、両ネジ孔１２，１３は、錐状凸部１１と錐状凹部１０とが係合状態になることでネジ１４を通すことができるようになされている。なお、水切り板１側のネジ孔１２はネジ付き孔からなっており、止水金物４側のネジ孔１３は、水切り板１側のネジ付き孔１２よりも径大なネジ通孔からなっている。
【００２０】
また、本実施形態では、水切り板１には、図１及び図２に示すように、屋外側の面部において、錐状凹部１０を挟む両側に位置決め状の隆起部１５，１５が設けられ、止水金物４を水切り板１に沿わせ、これら隆起部１５，１５の周面部に止水金物４の周縁部を当接させるようにすることで、錐状凹部１０と錐状凸部１１とを係合状態ないしは嵌合状態にすることができるようになされている。
【００２１】
水切り板１の通孔２の開口周縁部とバルコニーアーム３の外周部との間の止水は、上記の止水金物４，４とシーリング材５とを用いて、次のようにして行うことができる。
【００２２】
即ち、水切り板１の通孔２にバルコニーアーム３が通された状態で、止水金物４，４を、図３（イ）（ロ）及び図５に示すように、錐状凹部１０と錐状凸部１１とが係合ないしは嵌合するように水切り板１に沿わせる。この作業は、図２に示すように、水切り板１に備えられた隆起部１５を利用することで容易に行うことができる。これにより、水切り板１の通孔２の開口周縁部と止水金物４のベース部分７との間、及び、止水金物４の立ち上がり部分８とバルコニーアーム３の外周部との間の各シーリング材５はある程度圧潰された状態となる。
【００２３】
次いで、図３（ロ）（ハ）（ニ）示すように、屋外側から錐状凸部１１のネジ孔１３にネジ１４を通し、ネジ１４を錐状凹部１０のネジ孔１２に螺合し、止水金物４と水切り板１とを締め合わせ、錐状凸部１１と錐状凹部１０とを最終嵌合状態にする。これにより、通孔２の開口周縁部と止水金物４のベース部分７との間、及び、止水金物４の立ち上がり部分８とバルコニーアーム３の外周部との間の各シーリング材５が最終圧潰形態となり、止水状態が形成される。
【００２４】
なお、錐状凹部１０と錐状凸部１１とが図３（ロ）に示すような係合状態となっていない場合には、ネジ孔１２，１３が相互にずれてネジ１４を通すことができず、そのため、中途半端なネジ締めが行われず、適正な止水状態を確実に形成することができる。
【００２５】
このように上記の止水構造によれば、２つの止水金物４，４を用いることで、水切り板１の通孔２の開口周縁部とバルコニーアーム３の外周部との間の環状隙間６を、バルコニーアーム３が通孔２に通された状態において、施工容易に止水していくことができる。
【００２６】
しかも、ネジ締めのためのネジ孔１２，１３は、錐状凹部１０の底面部と錐状凸部１１の頂面部とに備えられているので、一旦ネジ締めすると、錐状凹部１０と錐状凸部１１との嵌合が解除されてしまうおそれがなく、信頼性の高い確実な止水状態を形成することができる。
【００２７】
以上に、本発明の実施形態を示したが、本発明はこれに限られるものではなく、発明思想を逸脱しない範囲で各種の変更が可能である。例えば、上記の実施形態では、水切り板１の側に錐状凹部１０を設け、止水金物４の側に錐状凸部１１を設けた場合を示しているが、水切り板の側に錐状凸部を設け、止水金物の側に錐状凹部を設けるようにしてもよい。また、錐状凹部１０と錐状凹部１０は円形に限らず、各種形状していてよいし、一つの止水金物に備えさせる錐状凸部や錐状凸部は一つに限られるものではなく、複数であってもよい。更に、上記の実施形態では、環状隙間６を２つの止水金物４，４で止水する場合を示しているが、環状隙間の形態に応じて３つ以上の止水金物で止水する構成にしてもよい。
【００２８】
また、上記の実施形態では、階間胴差部の水切り板１の通孔２の開口周縁部と、該通孔２に通されたバルコニーアーム３との間の環状隙間６を止水する場合の構造を示しているが、本発明は、これに限らず、通孔の開口周縁部と、通孔に通された各種部材の外周部との間の止水に広く用いることができるものであることはいうまでもない。
【図面の簡単な説明】
【００２９】
【図１】実施形態の止水構造を示す分解斜視図である。
【図２】同止水構造の断面正面図である。
【図３】図（イ）〜図（ハ）は、施工方法を順次に示す要部断面側面図である。
【図４】図（イ）は止水金物の斜視図、図（ロ）はシーリング材の斜視図である。
【図５】図（イ）及び図（ロ）は止水金物の取付け方法を順次に示す断面側面図である。
【符号の説明】
【００３０】
２…通孔
３…バルコニーアーム（部材）
４…止水金物
５…シーリング材
６…隙間
７…ベース部分
８…立ち上がり部分
１０…錐状凹部
１１…錐状凸部
１２…ネジ孔
１３…ネジ孔
１４…ネジ
【図１】
2005105617.tif 000003
【図２】
2005105617.tif 000004
【図３】
2005105617.tif 000005
【図４】
2005105617.tif 000006
【図５】
2005105617.tif 000007